(57)【要約】【課題】  販売促進の目的に応じて特典付与の条件であるイベントやその特典の内容を柔軟に設定することを可能とするイベント設定システム、イベント設定方法、コンテンツサーバおよびプログラムを提供する。【解決手段】  イベント設定端末とコンテンツサーバとがネットワークで相互に接続され、当該コンテンツサーバが提供するコンテンツに係るイベントを設定するイベント設定システムであって、イベント設定端末は、コンテンツサーバから送信されたイベントの一覧画面を表示するイベント一覧表示手段と、イベントの情報と当該イベントの情報に対する操作指示の情報とをコンテンツサーバへ送信する操作指示送信手段を有し、コンテンツサーバは、イベント設定端末から送信されたイベントの情報を操作指示の情報に基づいて操作するイベント設定処理手段を有する。【選択図】      図１
2008003837.tif 000002
【特許請求の範囲】
【請求項１】
イベント設定端末とコンテンツサーバとがネットワークで相互に接続され、当該コンテンツサーバが提供するコンテンツに係るイベントを設定するイベント設定システムであって、前記イベント設定端末は、前記コンテンツサーバから送信されたイベントの一覧画面を表示するイベント一覧表示手段と、前記イベントの情報と当該イベントの情報に対する操作指示の情報とを前記コンテンツサーバへ送信する操作指示送信手段を有し、前記コンテンツサーバは、前記イベント設定端末から送信された前記イベントの情報を前記操作指示の情報に基づいて操作するイベント設定処理手段を有することを特徴とするイベント設定システム。
【請求項２】
イベント設定端末とコンテンツサーバとがネットワークで相互に接続され、当該コンテンツサーバが提供するコンテンツに係るイベントを設定するイベント設定システムであって、前記イベント設定端末は、前記コンテンツサーバに対して指定する条件に合致するイベントの一覧画面の送信を要求するイベント一覧要求手段と、前記コンテンツサーバから送信されたイベントの一覧画面を表示するイベント一覧表示手段と、前記イベントの情報と当該イベントの情報に対する操作指示の情報とを前記コンテンツサーバへ送信する操作指示送信手段とを有し、前記コンテンツサーバは、前記イベント設定端末から指定された条件に合致するイベントの一覧画面を前記イベント設定端末へ送信する出力画面生成出力手段と、前記イベント設定端末から送信された前記イベントの情報を前記操作指示の情報に基づいて操作するイベント設定処理手段とを有することを特徴とするイベント設定システム。
【請求項３】
前記コンテンツサーバは、設定済みの前記イベントの情報を記憶するイベント発生規則記憶手段と、前記イベントの情報のひな形であるイベント発生規則サンプルを記憶するイベント発生規則サンプル記憶手段とを有し、前記出力画面生成出力手段は、前記イベント設定端末から指定された条件に合致するイベントの情報が前記イベント発生規則記憶手段または前記イベント発生規則サンプル記憶手段に記憶されていればそのイベントの情報を一覧画面として前記イベント設定端末へ送信し、記憶されていなければ前記イベント発生規則記憶手段または前記イベント発生規則サンプル記憶手段に記憶されているイベントの情報を一覧画面として前記イベント設定端末へ送信することを特徴とする請求項２記載のイベント設定システム。 
【請求項４】
前記コンテンツサーバは、イベント発生規則の要素を記憶するイベント要素記憶手段を有し、前記出力画面生成出力手段は、前記イベント設定端末からイベントの追加または変更の要求が送信された場合、前記イベント要素記憶手段に記憶されている要素の一覧を、それぞれ追加入力画面情報または変更入力画面情報として前記イベント設定端末へ送信することを特徴とする請求項１から３のいずれかに記載のイベント設定システム。
【請求項５】
前記コンテンツサーバは、前記イベント設定端末から追加登録の対象となる前記イベントの情報が送信された場合、当該イベントの情報が既に登録済みか否かを判定し、登録済みであれば当該イベントの情報を登録しないイベントだぶりチェック手段を有することを特徴とする請求項１から請求項４のいずれかに記載のイベント設定システム。
【請求項６】
前記コンテンツサーバは、前記イベント設定端末から追加登録または変更登録の対象となる前記イベントの情報が送信された場合、当該イベントに係る特典の重み値と登録済みの他のイベントに係る特典の重み値との合計値が予め設定した限度値以下となるか判定し、限度値以下の場合にのみ当該イベントの情報の追加登録または変更登録を許可するイベント多重限度チェック手段を有することを特徴とする請求項１から５のいずれかに記載のイベント設定システム。
【請求項７】
イベント設定端末が、コンテンツサーバから送信されたコンテンツに係るイベントの一覧画面を表示し、前記イベント設定端末が、前記イベントの情報と当該イベントの情報に対する操作指示の情報とを前記コンテンツサーバへ送信し、前記コンテンツサーバが、前記イベント設定端末から送信された前記イベントの情報を前記操作指示の情報に基づいて操作することを特徴とするイベント設定方法。
【請求項８】
イベント設定端末が、コンテンツに係るイベントの内、コンテンツサーバに対して指定する条件に合致するイベントの一覧画面の送信を要求し、前記コンテンツサーバが、前記イベント設定端末から指定された条件に合致するイベントの一覧画面を前記イベント設定端末へ送信し、前記イベント設定端末が、前記コンテンツサーバから送信されたイベントの一覧画面を表示し、前記イベント設定端末が、前記イベントの情報と当該イベントの情報に対する操作指示の情報とを前記コンテンツサーバへ送信し、前記コンテンツサーバが、前記イベント設定端末から送信された前記イベントの情報を前記操作指示の情報に基づいて操作することを特徴とするイベント設定方法。
【請求項９】
イベント設定端末が、コンテンツに係るイベントの内、コンテンツサーバに対して指定する条件に合致するイベントの一覧画面の送信を要求し、前記コンテンツサーバが、前記イベント設定端末から指定された条件に合致するイベントの情報が設定済みの前記イベントの情報を記憶するイベント発生規則記憶手段または前記イベントの情報のひな形であるイベント発生規則サンプルを記憶するイベント発生規則サンプル記憶手段に記憶されていればそのイベントの情報を一覧画面として前記イベント設定端末へ送信し、記憶されていなければ前記イベント発生規則記憶手段または前記イベント発生規則サンプル記憶手段に記憶されているイベントの情報を一覧画面として前記イベント設定端末へ送信し、前記イベント設定端末が、前記コンテンツサーバから送信されたイベントの一覧画面を表示し、前記イベント設定端末が、前記イベントの情報と当該イベントの情報に対する操作指示の情報とを前記コンテンツサーバへ送信し、前記コンテンツサーバが、前記イベント設定端末から送信された前記イベントの情報を前記操作指示の情報に基づいて操作することを特徴とするイベント設定方法。
【請求項１０】
前記コンテンツサーバが、前記イベント設定端末から、操作指示の情報として、イベントの追加またはイベントの変更をする旨の情報が送信された場合、前記出力画面生成出力手段が、イベント要素記憶手段に記憶されているイベント発生規則の要素の一覧を、それぞれ追加入力画面情報または変更入力画面情報として前記イベント設定端末へ送信することを特徴とする請求項７から請求項９記載のイベント設定方法。
【請求項１１】
前記コンテンツサーバが、前記イベント設定端末から、操作指示の情報として、追加登録の対象となる前記イベントの情報が送信された場合、当該イベントの情報が既に登録済みか否かを判定し、登録済みであれば当該イベントの情報を登録しないことを特徴とする請求項７から請求項１０のいずれかに記載のイベント設定方法。
【請求項１２】
前記コンテンツサーバが、前記イベント設定端末から、操作指示の情報として、追加登録または変更登録の対象となる前記イベントの情報が送信された場合、当該イベントに係る特典の重み値と登録済みの他のイベントに係る特典の重み値との合計値が予め設定した限度値以下となるか判定し、限度値以下の場合にのみ当該イベントの情報の追加登録または変更登録を許可することを特徴とする請求項７から請求項１１のいずれかに記載のイベント設定方法。
【請求項１３】
コンテンツに係るイベントの一覧画面をイベント設定端末に送信して表示させ、前記イベント設定端末から送信されたイベントの情報を操作指示の情報に基づいて操作することを特徴とするコンテンツサーバ。
【請求項１４】
コンテンツに係るイベントの内、イベント設定端末から指定された条件に合致するイベントの一覧画面を当該イベント端末へ送信して表示させ、前記イベント設定端末から送信されたイベントの情報を操作指示の情報に基づいて操作することを特徴とするコンテンツサーバ。
【請求項１５】
コンテンツに係るイベントの内、イベント設定端末から指定された条件に合致するイベントの情報が設定済みの前記イベントの情報を記憶するイベント発生規則記憶手段または前記イベントの情報のひな形であるイベント発生規則サンプルを記憶するイベント発生規則サンプル記憶手段に記憶されていればそのイベントの情報を一覧画面として前記イベント設定端末へ送信して表示させ、記憶されていなければ前記イベント発生規則記憶手段または前記イベント発生規則サンプル記憶手段に記憶されているイベントの情報を一覧画面として前記イベント設定端末へ送信して表示させ、前記イベント設定端末から送信されたイベントの情報を操作指示の情報に基づいて操作することを特徴とするコンテンツサーバ。
【請求項１６】
前記イベント設定端末から、操作指示の情報として、イベントの追加またはイベントの変更をする旨の情報が送信された場合、イベント要素記憶手段に記憶されているイベント発生規則の要素の一覧を、それぞれ追加入力画面情報または変更入力画面情報として前記イベント設定端末へ表示させることを特徴とする請求項１３から請求項１５記載のコンテンツサーバ。
【請求項１７】
前記イベント設定端末から、操作指示の情報として、追加登録の対象となる前記イベントの情報が送信された場合、当該イベントの情報が既に登録済みか否かを判定し、登録済みであれば当該イベントの情報を登録しないことを特徴とする請求項１３から請求項１６のいずれかに記載のコンテンツサーバ。
【請求項１８】
前記イベント設定端末から、操作指示の情報として、追加登録または変更登録の対象となる前記イベントの情報が送信された場合、当該イベントに係る特典の重み値と登録済みの他のイベントに係る特典の重み値との合計値が予め設定した限度値以下となるか判定し、限度値以下の場合にのみ当該イベントの情報の追加登録または変更登録を許可することを特徴とする請求項１３から請求項１７のいずれかに記載のコンテンツサーバ。
【請求項１９】
コンテンツサーバに、コンテンツに係るイベントの一覧画面をイベント設定端末に送信し、前記イベント設定端末から送信されたイベントの情報を操作指示の情報に基づいて操作する処理を行わせることを特徴とするプログラム。
【請求項２０】
コンテンツサーバに、コンテンツに係るイベントの内、イベント設定端末から指定された条件に合致するイベントの一覧画面を当該イベント端末へ送信し、前記イベント設定端末から送信されたイベントの情報を操作指示の情報に基づいて操作する処理を行わせることを特徴とするプログラム。
【請求項２１】
コンテンツサーバに、コンテンツに係るイベントの内、イベント設定端末から指定された条件に合致するイベントの情報が設定済みの前記イベントの情報を記憶するイベント発生規則記憶手段または前記イベントの情報のひな形であるイベント発生規則サンプルを記憶するイベント発生規則サンプル記憶手段に記憶されていればそのイベントの情報を一覧画面として前記イベント設定端末へ送信し、記憶されていなければ前記イベント発生規則記憶手段または前記イベント発生規則サンプル記憶手段に記憶されているイベントの情報を一覧画面として前記イベント設定端末へ送信し、前記イベント設定端末から送信されたイベントの情報を操作指示の情報に基づいて操作する処理を行わせることを特徴とするプログラム。
【請求項２２】
コンテンツサーバに、前記イベント設定端末から、操作指示の情報として、イベントの追加またはイベントの変更をする旨の情報が送信された場合、イベント要素記憶手段に記憶されているイベント発生規則の要素の一覧を、それぞれ追加入力画面情報または変更入力画面情報として前記イベント設定端末へ表示させる処理を行わせることを特徴とする請求項１９から請求項２１記載のコンテンツサーバ。
【請求項２３】
コンテンツサーバに、前記イベント設定端末から、操作指示の情報として、追加登録の対象となる前記イベントの情報が送信された場合、当該イベントの情報が既に登録済みか否かを判定し、登録済みであれば当該イベントの情報を登録しない処理を行わせることを特徴とする請求項１９から請求項２２のいずれかに記載のプログラム。
【請求項２４】
コンテンツサーバに、前記イベント設定端末から、操作指示の情報として、追加登録または変更登録の対象となる前記イベントの情報が送信された場合、当該イベントに係る特典の重み値と登録済みの他のイベントに係る特典の重み値との合計値が予め設定した限度値以下となるか判定し、限度値以下の場合にのみ当該イベントの情報の追加登録または変更登録を許可する処理を行わせることを特徴とする請求項１９から請求項２３のいずれかに記載のプログラム。
【発明の詳細な説明】
【技術分野】
【０００１】
本発明は、小売業における商品の販売促進を目的としてそれら商品の販売に関するイベントを設定し、仮想世界に構築したコンテンツの機能や処理などを強化、更新等するための特典を付与するイベント設定システム、イベント設定方法、コンテンツサーバおよびプログラムに関する。
【背景技術】
【０００２】
現在、多くの小売業者は、固定顧客の獲得のために会員制のショッピングシステムを導入し、商品の購入金額に対して所定の割合でポイントを還元するという特典を提供している。このようなショッピングシステムには、以下のような課題がある。
【０００３】
例えば、会員の購買総額の中から一定の割合を特典として還元するため、値引きによる価格競争を行わない業態、例えばコンビニエンスストアのような業態では採用し難い。同様の理由により、顧客の買い物の一回当たりの購買金額が低い業態、あるいは薄利多売型の業態では特典自体の価値も低くなり、顧客固定化に寄与しない可能性が高い。また、特定商品のプロモーションのためにポイント付与率を上げることには限界があり、ポイント還元による商品差別化は難しい。さらには、特典の獲得過程に面白味がなく、値引きに重点をおかない客層をひきつける魅力に欠けている。
【０００４】
これらの課題を解決するための従来の特典付与方法としては、獲得ポイントをネットワーク上で行われるゲームへの参加権にするというものがある（例えば、特許文献１参照。）。また、獲得ポイントで仮想世界上の電子プロダクトを購入することができるようにしたものがある（例えば、特許文献２参照。）。また、コンピュータゲームを電子商取引システムに結合させ、購入商品に対応したデータをゲーム論理プロセスに渡す手段を施したものがある（例えば、特許文献３参照。）。
【０００５】
【特許文献１】特開２００２−３７３２８２号公報
【特許文献２】特開２００４−８６３１５号公報
【特許文献３】特開２００１−１９５４７５号公報
【発明の開示】
【発明が解決しようとする課題】
【０００６】
しかしながら、これら従来の特典付与方法では、販売促進の目的に応じて特典付与の条件を柔軟に設定することができないという課題がある。即ち、購買金額に対するポイントの付与率を、一時的に変えたり、あるいは購入商品の組み合わせによって変えたりすることは、オペレーションの手間がかかり容易には行うことができない。また、特定の商品に特定の特典を付与するための特典付与予定を将来に亘って予めゲームに組み込むことは不可能である。
【０００７】
このように従来の得点付与方法においては、商品あるいは商品の組み合わせや期間との組み合わせのような得点付与の条件を柔軟に設定することができなかった。
【０００８】
（発明の目的）
本発明の目的は、販売促進の目的に応じて特典付与の条件であるイベントやその特典の内容を柔軟に設定することを可能とするイベント設定システム、イベント設定方法、コンテンツサーバおよびプログラムを提供することにある。
【課題を解決するための手段】
【０００９】
本発明の第１のイベント設定システムは、イベント設定端末とコンテンツサーバとがネットワークで相互に接続され、当該コンテンツサーバが提供するコンテンツに係るイベントを設定するイベント設定システムであって、前記イベント設定端末が、前記コンテンツサーバから送信されたイベントの一覧画面を表示するイベント一覧表示手段と、前記イベントの情報と当該イベントの情報に対する操作指示の情報とを前記コンテンツサーバへ送信する操作指示送信手段を有し、前記コンテンツサーバが、前記イベント設定端末から送信された前記イベントの情報を前記操作指示の情報に基づいて操作するイベント設定処理手段を有することを特徴とする。
【００１０】
本発明の第２のイベント設定システムは、イベント設定端末とコンテンツサーバとがネットワークで相互に接続され、当該コンテンツサーバが提供するコンテンツに係るイベントを設定するイベント設定システムであって、前記イベント設定端末が、前記コンテンツサーバに対して指定する条件に合致するイベントの一覧画面の送信を要求するイベント一覧要求手段と、前記コンテンツサーバから送信されたイベントの一覧画面を表示するイベント一覧表示手段と、前記イベントの情報と当該イベントの情報に対する操作指示の情報とを前記コンテンツサーバへ送信する操作指示送信手段とを有し、前記コンテンツサーバが、前記イベント設定端末から指定された条件に合致するイベントの一覧画面を前記イベント設定端末へ送信する出力画面生成出力手段と、前記イベント設定端末から送信された前記イベントの情報を前記操作指示の情報に基づいて操作するイベント設定処理手段とを有することを特徴とする。
【００１１】
本発明の第３のイベント設定システムは、第２のイベント設定システムにおいて、前記コンテンツサーバが、設定済みの前記イベントの情報を記憶するイベント発生規則記憶手段と、前記イベントの情報のひな形であるイベント発生規則サンプルを記憶するイベント発生規則サンプル記憶手段とを有し、前記出力画面生成出力手段は、前記イベント設定端末から指定された条件に合致するイベントの情報が前記イベント発生規則記憶手段または前記イベント発生規則サンプル記憶手段に記憶されていればそのイベントの情報を一覧画面として前記イベント設定端末へ送信し、記憶されていなければ前記イベント発生規則記憶手段または前記イベント発生規則サンプル記憶手段に記憶されているイベントの情報を一覧画面として前記イベント設定端末へ送信することを特徴とする。
【００１２】
本発明の第４のイベント設定システムは、第１〜第３のイベント設定システムのいずれかにおいて、前記コンテンツサーバが、イベント発生規則の要素を記憶するイベント要素記憶手段を有し、前記出力画面生成出力手段は、前記イベント設定端末からイベントの追加または変更の要求が送信された場合、前記イベント要素記憶手段に記憶されている要素の一覧を、それぞれ追加入力画面情報または変更入力画面情報として前記イベント設定端末へ送信することを特徴とする。 
本発明の第５のイベント設定システムは、第１〜第４のイベント設定システムのいずれかにおいて、前記コンテンツサーバが、前記イベント設定端末から追加登録の対象となる前記イベントの情報が送信された場合、当該イベントの情報が既に登録済みか否かを判定し、登録済みであれば当該イベントの情報を登録しないイベントだぶりチェック手段を有することを特徴とする。
【００１３】
本発明の第６のイベント設定システムは、第１〜第５のイベント設定システムのいずれかにおいて、前記コンテンツサーバが、前記イベント設定端末から追加登録または変更登録の対象となる前記イベントの情報が送信された場合、当該イベントに係る特典の重み値と登録済みの他のイベントに係る特典の重み値との合計値が予め設定した限度値以下となるか判定し、限度値以下の場合にのみ当該イベントの情報の追加登録または変更登録を許可するイベント多重限度チェック手段を有することを特徴とする。
【００１４】
本発明の第１のイベント設定方法は、イベント設定端末が、コンテンツサーバから送信されたコンテンツに係るイベントの一覧画面を表示し、前記イベント設定端末が、前記イベントの情報と当該イベントの情報に対する操作指示の情報とを前記コンテンツサーバへ送信し、前記コンテンツサーバが、前記イベント設定端末から送信された前記イベントの情報を前記操作指示の情報に基づいて操作することを特徴とする。
【００１５】
本発明の第２のイベント設定方法は、イベント設定端末が、コンテンツに係るイベントの内、コンテンツサーバに対して指定する条件に合致するイベントの一覧画面の送信を要求し、前記コンテンツサーバが、前記イベント設定端末から指定された条件に合致するイベントの一覧画面を前記イベント設定端末へ送信し、前記イベント設定端末が、前記コンテンツサーバから送信されたイベントの一覧画面を表示し、前記イベント設定端末が、前記イベントの情報と当該イベントの情報に対する操作指示の情報とを前記コンテンツサーバへ送信し、前記コンテンツサーバが、前記イベント設定端末から送信された前記イベントの情報を前記操作指示の情報に基づいて操作することを特徴とする。
【００１６】
本発明の第３のイベント設定方法は、イベント設定端末が、コンテンツに係るイベントの内、コンテンツサーバに対して指定する条件に合致するイベントの一覧画面の送信を要求し、前記コンテンツサーバが、前記イベント設定端末から指定された条件に合致するイベントの情報が設定済みの前記イベントの情報を記憶するイベント発生規則記憶手段または前記イベントの情報のひな形であるイベント発生規則サンプルを記憶するイベント発生規則サンプル記憶手段に記憶されていればそのイベントの情報を一覧画面として前記イベント設定端末へ送信し、記憶されていなければ前記イベント発生規則記憶手段または前記イベント発生規則サンプル記憶手段に記憶されているイベントの情報を一覧画面として前記イベント設定端末へ送信し、前記イベント設定端末が、前記コンテンツサーバから送信されたイベントの一覧画面を表示し、前記イベント設定端末が、前記イベントの情報と当該イベントの情報に対する操作指示の情報とを前記コンテンツサーバへ送信し、前記コンテンツサーバが、前記イベント設定端末から送信された前記イベントの情報を前記操作指示の情報に基づいて操作することを特徴とする。
【００１７】
本発明の第４のイベント設定方法は、第１〜第３のイベント設定方法のいずれかにおいて、前記コンテンツサーバが、前記イベント設定端末から、操作指示の情報として、イベントの追加またはイベントの変更をする旨の情報が送信された場合、前記出力画面生成出力手段が、イベント要素記憶手段に記憶されているイベント発生規則の要素の一覧を、それぞれ追加入力画面情報または変更入力画面情報として前記イベント設定端末へ送信することを特徴とする。 
本発明の第５のイベント設定方法は、第１〜第４のイベント設定方法のいずれかにおいて、前記コンテンツサーバが、前記イベント設定端末から、操作指示の情報として、追加登録の対象となる前記イベントの情報が送信された場合、当該イベントの情報が既に登録済みか否かを判定し、登録済みであれば当該イベントの情報を登録しないことを特徴とする。
【００１８】
本発明の第６のイベント設定方法は、第１〜第５のイベント設定方法のいずれかにおいて、前記コンテンツサーバが、前記イベント設定端末から、操作指示の情報として、追加登録または変更登録の対象となる前記イベントの情報が送信された場合、当該イベントに係る特典の重み値と登録済みの他のイベントに係る特典の重み値との合計値が予め設定した限度値以下となるか判定し、限度値以下の場合にのみ当該イベントの情報の追加登録または変更登録を許可することを特徴とする。
【００１９】
本発明の第１のコンテンツサーバは、コンテンツに係るイベントの一覧画面をイベント設定端末に送信して表示させ、前記イベント設定端末から送信されたイベントの情報を操作指示の情報に基づいて操作することを特徴とする。
【００２０】
本発明の第２のコンテンツサーバは、コンテンツに係るイベントの内、イベント設定端末から指定された条件に合致するイベントの一覧画面を当該イベント端末へ送信して表示させ、前記イベント設定端末から送信されたイベントの情報を操作指示の情報に基づいて操作することを特徴とする。
【００２１】
本発明の第３のコンテンツサーバは、コンテンツに係るイベントの内、イベント設定端末から指定された条件に合致するイベントの情報が設定済みの前記イベントの情報を記憶するイベント発生規則記憶手段または前記イベントの情報のひな形であるイベント発生規則サンプルを記憶するイベント発生規則サンプル記憶手段に記憶されていればそのイベントの情報を一覧画面として前記イベント設定端末へ送信して表示させ、記憶されていなければ前記イベント発生規則記憶手段または前記イベント発生規則サンプル記憶手段に記憶されているイベントの情報を一覧画面として前記イベント設定端末へ送信して表示させ、前記イベント設定端末から送信されたイベントの情報を操作指示の情報に基づいて操作することを特徴とする。
【００２２】
本発明の第４のコンテンツサーバは、第１〜第３のコンテンツサーバのいずれかにおいて、前記イベント設定端末から、操作指示の情報として、イベントの追加またはイベントの変更をする旨の情報が送信された場合、イベント要素記憶手段に記憶されているイベント発生規則の要素の一覧を、それぞれ追加入力画面情報または変更入力画面情報として前記イベント設定端末へ表示させることを特徴とする。
【００２３】
本発明の第５のコンテンツサーバは、第１〜第４のコンテンツサーバのいずれかにおいて、前記イベント設定端末から、操作指示の情報として、追加登録の対象となる前記イベントの情報が送信された場合、当該イベントの情報が既に登録済みか否かを判定し、登録済みであれば当該イベントの情報を登録しないことを特徴とする。
【００２４】
本発明の第６のコンテンツサーバは、第１〜第５のコンテンツサーバのいずれかにおいて、前記イベント設定端末から、操作指示の情報として、追加登録または変更登録の対象となる前記イベントの情報が送信された場合、当該イベントに係る特典の重み値と登録済みの他のイベントに係る特典の重み値との合計値が予め設定した限度値以下となるか判定し、限度値以下の場合にのみ当該イベントの情報の追加登録または変更登録を許可することを特徴とする。
【００２５】
本発明の第１のプログラムは、コンテンツサーバに、コンテンツに係るイベントの一覧画面をイベント設定端末に送信し、前記イベント設定端末から送信されたイベントの情報を操作指示の情報に基づいて操作する処理を行わせることを特徴とする。
【００２６】
本発明の第２のプログラムは、コンテンツサーバに、コンテンツに係るイベントの内、イベント設定端末から指定された条件に合致するイベントの一覧画面を当該イベント端末へ送信し、前記イベント設定端末から送信されたイベントの情報を操作指示の情報に基づいて操作する処理を行わせることを特徴とする。
【００２７】
本発明の第３のプログラムは、コンテンツサーバに、コンテンツに係るイベントの内、イベント設定端末から指定された条件に合致するイベントの情報が設定済みの前記イベントの情報を記憶するイベント発生規則記憶手段または前記イベントの情報のひな形であるイベント発生規則サンプルを記憶するイベント発生規則サンプル記憶手段に記憶されていればそのイベントの情報を一覧画面として前記イベント設定端末へ送信し、記憶されていなければ前記イベント発生規則記憶手段または前記イベント発生規則サンプル記憶手段に記憶されているイベントの情報を一覧画面として前記イベント設定端末へ送信し、前記イベント設定端末から送信されたイベントの情報を操作指示の情報に基づいて操作する処理を行わせることを特徴とする。
【００２８】
本発明の第４のプログラムは、第１〜第３のプログラムのいずれかにおいて、コンテンツサーバに、前記イベント設定端末から、操作指示の情報として、イベントの追加またはイベントの変更をする旨の情報が送信された場合、イベント要素記憶手段に記憶されているイベント発生規則の要素の一覧を、それぞれ追加入力画面情報または変更入力画面情報として前記イベント設定端末へ表示させる処理を行わせることを特徴とする。 
本発明の第５のプログラムは、第１〜第４のプログラムのいずれかにおいて、コンテンツサーバに、前記イベント設定端末から、操作指示の情報として、追加登録の対象となる前記イベントの情報が送信された場合、当該イベントの情報が既に登録済みか否かを判定し、登録済みであれば当該イベントの情報を登録しない処理を行わせることを特徴とする。
【００２９】
本発明の第６のプログラムは、第１〜第５のプログラムのいずれかにおいて、コンテンツサーバに、前記イベント設定端末から、操作指示の情報として、追加登録または変更登録の対象となる前記イベントの情報が送信された場合、当該イベントに係る特典の重み値と登録済みの他のイベントに係る特典の重み値との合計値が予め設定した限度値以下となるか判定し、限度値以下の場合にのみ当該イベントの情報の追加登録または変更登録を許可する処理を行わせることを特徴とする。
【発明の効果】
【００３０】
本発明によれば、販売促進の目的に応じて特典付与の条件であるイベントやその特典の内容を柔軟に設定することが可能になる。その理由は、特典付与の条件であるイベントやその特典の内容を容易に追加・変更・削除することができるようにしたためである。
【発明を実施するための最良の形態】
【００３１】
次に、本発明について図面を参照して詳細に説明する。
【００３２】
図１を参照すると、本発明の第１の実施の形態は、コンテンツサーバ１と、イベント設定端末２とから構成される。これらのイベント設定端末２とコンテンツサーバ１はプログラム制御により動作し、インターネット等のネットワーク３を介して相互に接続されている。
【００３３】
イベント設定端末２は、パーソナルコンピュータ等の情報処理装置であり、ネットワーク３を介してコンテンツサーバ１と通信する。イベント設定端末２は、コンテンツサーバ１から画面情報を受け取って表示し、また、イベント設定者によって入力された入力情報をコンテンツサーバ１に送信する。
【００３４】
イベント設定端末２は、通信処理部２１、イベント一覧表示手段２２、イベント一覧要求手段２３、イベントアクション指示手段２４、イベント追加要求手段２５、イベント変更要求手段２６、イベント削除要求手段２７を有する。イベント一覧表示手段２２は、コンテンツサーバ１から受け取ったイベント一覧情報を表示する（図２１参照）。イベント一覧要求手段２３は、コンテンツサーバ１から受け取った要求イベント一覧の条件を入力する画面を表示し（図２０参照）、イベント設定者が入力した条件のイベント一覧をコンテンツサーバ１に要求する。イベントアクション指示手段２４は、イベント設定者が選択したイベントとアクションからなる操作の情報をコンテンツサーバ１へ指示する。イベント追加要求手段２５は、コンテンツサーバ１から受け取った追加入力画面を表示し（図２３参照）、イベント設定者が入力したイベントの追加をコンテンツサーバ１へ要求する。イベント変更要求手段２６は、コンテンツサーバ１から受け取った変更入力画面を表示し（図２５参照）、イベント設定者が入力したイベントの変更をコンテンツサーバ１へ要求する。イベント削除要求手段２７は、コンテンツサーバ１から受け取った削除確認画面を表示し（図２６参照）、イベント設定者が入力したイベントの削除をコンテンツサーバ１へ要求する。
【００３５】
これらにより、イベント設定端末２は、イベント設定者が特典とその特典の付与規則であるイベントの設定操作を可能とする機能を備えている。
【００３６】
コンテンツサーバ１は、所定の管理センターに設置されているワークステーション等の情報処理装置であり、イベントの設定制御を実施する。コンテンツサーバ１は、イベント設定処理部１０、通信処理部１１、イベント発生規則格納部１２、イベント発生規則サンプル格納部１３、イベント要素格納部１４、イベント設定者情報格納部１５を有する。
【００３７】
図２は、イベント設定処理部１０のブロック図である。
【００３８】
入力情報受付手段１１１は、イベント設定端末２から、ネットワーク３、通信処理部１１を介して送られてきた入力情報を受け付ける。実行手段１１２は、この入力情報を解析し、出力画面生成出力手段１１３、イベントだぶりチェック手段１１４、イベント発生規則格納部アクセス手段１１６、イベント発生規則サンプル格納部アクセス手段１１７、イベント要素格納部アクセス手段１１８の実行を制御して、入力情報で示される要求を実行する。出力画面生成出力手段１１３は実行手段１１２からの指示によりイベント設定端末２へ出力する画面情報を生成し、出力する。イベントだぶりチェック手段１１４は、追加イベント、変更イベントの商品ＩＤとイベント期間について既設定イベントとだぶりがないかをチェックし、結果を実行手段１１２に報告する。イベント発生規則格納部アクセス手段１１６は、実行手段１１２またはイベントだぶりチェック手段１１４の指示により、イベント発生規則格納部１２の情報の読み出し、書き込み、削除を行う。イベント発生規則サンプル格納部アクセス手段１１７は、実行手段１１２の指示により、イベント発生規則サンプル格納部１３の情報の読み出しを行う。イベント要素格納部アクセス手段１１８は、実行手段１１２の指示により、イベント要素格納部１４の情報の読み出しを行う。
【００３９】
図４は、イベント設定者情報格納部１５に格納された情報の構造を示す図であり、イベント設定者名称とイベント設定者ＩＤとを含むイベント設定者テーブル１５０が格納されている。
【００４０】
図５は、イベント発生規則格納部１２に格納された情報の構造を示す図であり、イベントＩＤと、商品ＩＤと、購入数と、イベント期間と、特典有効期間と、特典内容と、イベント設定者ＩＤとを含むイベント発生規則テーブル１２０が格納されている。
【００４１】
図６は、イベント発生規則サンプル格納部１３に格納された情報の構造を示す図であり、イベントＩＤと、商品ＩＤと、購入数と、イベント期間と、特典有効期間と、特典内容と、イベント設定者ＩＤとを含むイベント発生規則サンプルテーブル１３０が格納されている。
【００４２】
図７は、イベント要素格納部１４に格納された情報の一部の構造を示す図であり、商品ＩＤと、商品名とを含む商品テーブル１４０が格納されている。
【００４３】
図８は、イベント要素格納部１４に格納された情報の一部の構造を示す図であり、特典内容を含む特典内容テーブル１４１が格納されている。
【００４４】
次に図１〜図２６を参照して、本発明の第１の実施の形態の動作について、具体的な実施例を示して詳細に説明する。本実施例では、バーチャルペット育成ゲームと連携した会員制のショッピングシステムにおける特典設定システムを説明する。「バーチャルペット育成ゲーム」とは、仮想世界において仮想的なペットを育て、その成長過程を楽しむゲームである。
【００４５】
本発明の第１の実施の形態の動作開始時点の状況を以下の通りとする。
【００４６】
図４を参照すると、イベント設定者テーブル１５０は、８名のイベント設定者がショッピングシステムのイベント設定者として参加していることを示している。図５を参照すると、イベント発生規則テーブル１２０は、香加王製菓がイベントＩＤ『チョコ』のイベントを、コンビニ三田店がイベントＩＤ『パン』のイベントを登録済みであることを示している。図６を参照すると、イベント発生規則サンプルテーブル１３０は、イベントＩＤ『テホン』のイベントとイベントＩＤ『レイ』のイベントがひな形として登録されている。図７を参照すると、商品テーブル１４０は、イベント設定の対象となる商品のリストが登録されている。図８を参照すると、特典内容テーブル１４１は、特典内容のリストが登録されている。
【００４７】
図１４は、本発明の第１の実施の形態における、イベント設定の処理の内のアクション選択の手順までを示すフローチャートである。
【００４８】
まず、イベント設定者は、イベント設定端末２よりコンテンツサーバ１にアクセスする（ステップＳ１０１）。これに応答して、イベント設定処理部１０は、イベント一覧要求画面をイベント設定端末２に送信する（ステップＳ１０２）。
【００４９】
イベント設定端末２は、イベント一覧要求画面を表示する（ステップＳ１０３、図２０参照）。イベント設定者は、参照したいイベントの条件を入力し、要求ボタンをクリックして、コンテンツサーバ１へ要求する（ステップＳ１０４）。これを受けて、コンテンツサーバ１のイベント設定処理部１０は、要求内容を解析し、イベント発生規則格納部１２のイベント発生規則テーブル１２０およびイベント発生規則サンプル格納部１３のイベント発生規則サンプルテーブル１３０から要求内容に対応するイベントを参照してイベント一覧画面を生成し、イベント設定端末２に送信する（ステップＳ１０５）。
【００５０】
イベント設定端末２は、イベント一覧画面を表示する（ステップＳ１０６、図２１参照）。イベント設定者は、実施したいアクションに応じたイベントを選択し（図２２参照）、いずれかのアクションボタンをクリックして、コンテンツサーバ１へ送信する（ステップＳ１０７）。これに受けてイベント設定処理部１０は、指定されたアクションを確認する（ステップＳ１０８）。
【００５１】
図１５は、イベント設定の処理において、クリックされたアクションボタンが追加であった場合の手順を示すフローチャートである。以下では、ひまわり飲料が自社のジュース製品について新たにイベントを追加する場合の実施例を示す。
【００５２】
追加のアクションボタンがクリックされたことを確認したイベント設定処理部１０は、図５に示すイベント発生規則格納部１２のイベント発生規則テーブル１２０または図６に示すイベント発生規則サンプル格納部１３のイベント発生規則サンプルテーブル１３０から対応するイベントを参照し、さらにイベント要素格納部１４の図７に示す商品テーブル１４０および図８に示す特典内容テーブル１４１から商品リストおよび特典リストを参照して追加入力画面を生成し、イベント設定端末２に送信する（ステップＳ１０９）。
【００５３】
イベント設定端末２は、追加入力画面を表示する（ステップＳ１１０、図２３参照）。イベントＩＤとイベント設定者ＩＤはイベント設定処理が自動的に割り振るようにしても良いし、イベント設定者に入力させても良い。イベント設定者は、イベントＩＤ『ジュース』とイベント設定者ＩＤ『ヒマワ』に加えて、商品ＩＤ『３３３３２１』〜『３３３３２５』（を選択）、購入数『２以上』、イベント期間『２００６０２１５−２００６０２２４』、特典有効期限『２００６０２１５−２００６０２２９』、特典内容『三段階成長する』（を選択）を入力し（図２４参照）、追加ボタンをクリックして、コンテンツサーバ１へ送信する（ステップＳ１１１）。これを受けてイベント設定処理部１０は、イベントだぶりチェック手段１１４を起動し、図５に示すイベント発生規則格納部１２のイベント発生規則テーブル１２０または図６に示すイベント発生規則サンプル格納部１３のイベント発生規則サンプルテーブル１３０に基づいて、入力されたイベントの商品ＩＤおよびイベント期間がすでに設定済みのイベントと重複していないか否か、およびイベント開催日、特典有効期限がカレンダ的に不正な点が無いことを確認させる（ステップＳ１１２）。イベントが重複している場合またはイベント開催日や特典有効期限が不正な場合は、処理をステップＳ１０９から繰り返す。問題なしの場合は、イベント設定処理部１０は、入力されたイベントＩＤ『ジュース』のイベントを図１１に示すようにイベント発生規則格納部１２のイベント発生規則テーブル１２０へ追加し、追加完了画面をイベント設定端末２へ送信する（ステップＳ１１３）。
【００５４】
イベント設定端末２は、追加完了画面を表示する（ステップＳ１１４）。
【００５５】
以上により、新たにイベントを追加する場合の実施例が終了する。この実施例においては、イベント設定端末２がイベントの追加要求をコンテンツサーバ１へ送信すると、コンテンツサーバ１のイベント設定処理部１０がイベント発生規則テーブル１２０に既に登録済みのイベントの情報、イベント発生規則サンプルテーブル１３０に登録されているイベントのひな形の情報、商品テーブル１４０に登録されているイベントの対象となる商品のリストの情報、特典内容テーブル１４１に登録されているイベントで提供される特典のリストの情報に基づいてイベントの追加入力画面を生成し、イベント設定端末２に送信して表示させるようにしたことにより、イベント設定者はイベントを追加設定しようとする際にそれら情報を参照しながら容易にイベント追加のための情報を入力することができるという効果を有している。
【００５６】
図１６は、イベント設定の処理において、クリックされたアクションボタンが変更であった場合の手順を示すフローチャートである。以下では、香加王製菓が自社のチョコレート製品について設定済みのイベントのイベント期間である２００６年２月１５日から２００６年２月２２日までを２００６年２月１５日から２００６年２月２８日までに変更する場合の実施例を示す
変更のアクションボタンがクリックされたこと確認したイベント設定処理部１０は、図５に示すイベント発生規則格納部１２のイベント発生規則テーブル１２０から香加王製菓が設定したイベントＩＤが『チョコ』のイベントを参照し、さらにイベント要素格納部１４の図７に示す商品テーブル１４０および図８に示す特典内容テーブル１４１から商品リストおよび特典リストを参照して変更入力画面を生成し、イベント設定端末２に送信する（ステップＳ１１５）。
【００５７】
イベント設定端末２は、変更入力画面を表示する。（ステップＳ１１６）。イベント設定者は、変更箇所を入力し（図２５参照）、変更ボタンをクリックして、コンテンツサーバ１へ送信する（ステップＳ１１７）。イベント設定処理部１０は、変更ボタンがクリックされたことを確認した場合は、イベントだぶりチェック手段１１４を起動し、図５に示すイベント発生規則格納部１２のイベント発生規則テーブル１２０に基づいて、入力されたイベントの商品ＩＤおよびイベント期間がすでに設定済みのイベントと重複していないか否か、およびイベント開催日、特典有効期限がカレンダ的に不正な点が無いことを確認させる（ステップＳ１１８）。イベントが重複している場合またはイベント開催日や特典有効期限が不正な場合は、処理をステップＳ１１５から繰り返す。問題なしの場合は、イベント設定処理部１０は、入力されたイベントＩＤが『チョコ』のイベントで、図１２に示すようにイベント発生規則格納部１２のイベント発生規則テーブル１２０を置き換え、変更完了画面をイベント設定端末２へ送信する（ステップＳ１１９）。
【００５８】
イベント設定端末２は、変更完了画面を表示する（ステップＳ１２０）。
【００５９】
以上により、登録済みのイベントを変更する場合の実施例が終了する。この実施例においては、イベント設定端末２が登録済みのイベントの変更要求をコンテンツサーバ１へ送信すると、コンテンツサーバ１のイベント設定処理部１０がイベント発生規則テーブル１２０に登録されている変更対象のイベントの情報、商品テーブル１４０に登録されているイベントの対象となる商品のリストの情報、特典内容テーブル１４１に登録されているイベントで提供される特典のリストの情報に基づいてイベントの変更入力画面を生成し、イベント設定端末２に送信して表示させるようにしたことにより、イベント設定者は登録済みのイベントを変更しようとする際にそれら情報を参照しながら容易にイベントの情報を変更することができるという効果を有している。
【００６０】
図１７は、イベント設定の処理において、クリックされたアクションボタンが削除であった場合の手順を示すフローチャートである。以下では、コンビニ三田店が設定したイベントを削除する場合の実施例を示す。
【００６１】
削除のアクションボタンがクリックされたこと確認したイベント設定処理部１０は、図５に示すイベント発生規則格納部１２のイベント発生規則テーブル１２０からコンビニ三田店が設定したイベントＩＤが『パン』のイベントを参照し、削除確認画面を生成し、イベント設定端末２に送信する（ステップＳ１２１）。
【００６２】
イベント設定端末２は削除確認画面を表示する。（ステップＳ１２２、図２６参照）。イベント設定者は、中止ボタンまたは削除ボタンをクリックして、コンテンツサーバ１へ送信する（ステップＳ１２３）。イベント設定処理部１０は、削除ボタンがクリックされたことを確認した場合は、選択されたイベントＩＤが『パン』のイベントを図１３に示すようにイベント発生規則格納部１２のイベント発生規則テーブル１２０から削除し、削除完了画面をイベント設定端末２へ送信する。また、中止ボタンがクリックされたことを確認した場合は、削除中止画面をイベント設定端末２へ送信する（ステップＳ１２４）。
【００６３】
イベント設定端末２は、受信した削除完了画面または削除中止画面を表示する（ステップＳ１２５）。
【００６４】
以上により、登録済みのイベントを削除する場合の実施例が終了する。この実施例においては、イベント設定端末２が登録済みのイベントの削除要求をコンテンツサーバ１へ送信すると、コンテンツサーバ１のイベント設定処理部１０がイベント発生規則テーブル１２０に登録されている削除対象のイベントの情報に基づいてイベントの削除確認画面を生成し、イベント設定端末２に送信して表示させるようにしたことにより、イベント設定者は登録済みのイベントを削除しようとする際にそれら情報を参照しながら容易にイベントの情報を削除することができるという効果を有している。
【００６５】
以上により、本発明の第１の実施の形態の動作が完了する。本発明の第１の実施の形態によれば、コンテンツサーバ１のイベント設定処理部１０がイベント設定端末２へイベント設定（追加・変更・削除）のための情報を画面形式で送信するようにしたことにより、販売促進の目的に応じて特典付与の条件であるイベントやその特典の内容を容易に追加・変更・削除することができるという効果を有している。
【００６６】
次に、本発明の第２の実施の形態について図面を参照して詳細に説明する。
【００６７】
図３は、本発明の第２の実施の形態におけるイベント設定処理部１０のブロック図である。本発明の第２の実施の形態においては、イベント設定処理部１０が行う追加入力および変更入力のチェックにイベント多重限度チェック手段１１５が追加されている点で第１の実施の形態と異なる。
【００６８】
以下では、第１の実施の形態のイベント設定処理部１０に存在しない手段、および第１の実施の形態のイベント設定処理部１０とは異なる機能を有する手段について説明する。
【００６９】
実行手段１１２は、入力情報受付手段１１１から得た入力情報を解析し、出力画面生成出力手段１１３、イベントだぶりチェック手段１１４、イベント多重限度チェック手段１１５、イベント発生規則格納部アクセス手段１１６、イベント発生規則サンプル格納部アクセス手段１１７、イベント要素格納部アクセス手段１１８の実行を制御して、入力情報で示される要求を実行する。
【００７０】
イベント多重限度チェック手段１１５は、追加イベント、変更イベントにより特典重みがあらかじめ設定した限度値以下であるか否かをチェックし、結果を実行手段１１２に通知する。
【００７１】
イベント発生規則格納部アクセス手段１１６は、実行手段１１２、イベントだぶりチェック手段１１４またはイベント多重限度チェック手段１１５の指示により、イベント発生規則格納部１２の情報の読み出し、書き込み、削除を行う。
【００７２】
イベント要素格納部アクセス手段１１８は、実行手段１１２またはイベント多重限度チェック手段１１５の指示により、イベント要素格納部１４の情報の読み出しを行う。
【００７３】
図９は、本発明の第２の実施の形態におけるイベント要素格納部１４に格納された情報の一部の構造を示す図であり、特典内容と、特典重みとを含む特典内容テーブル２４１が格納されている。
【００７４】
図１０は、イベント発生規則格納部１２に格納された情報の一部の構造を示す図であり、特典重み合計限度値を含む特典重み合計限度値テーブル２２１が格納されている。
【００７５】
次に図１〜図２６を参照して本発明の第２の実施の形態における、本発明の第１の実施の形態と異なる部分の動作について、具体的な実施例を示して詳細に説明する。
【００７６】
本発明の第２の実施の形態の動作開始時点の状況を以下の通りとする。
【００７７】
図１０を参照すると、特典重み合計限度値テーブル２２１には、特典重み合計限度値として５が格納されている。これ以外の状況は本発明の第１の実施の形態と同じであるとする。
【００７８】
図１８は、イベント設定の処理において、クリックされたアクションボタンが追加であった場合を示すフローチャートである。ここでも第１の実施の形態の説明の場合と同じく、ひまわり飲料が自社のジュース製品について、２００６年２月１５日から２００６年２月２４日の期間において新たにイベントを設定する場合の実施例を示す。
【００７９】
ステップＳ１０９からステップＳ１１２までは、第１の実施の形態で説明した動作と同じとなり、不正な場合は処理をステップＳ１０９から繰り返す動作も同じである。
【００８０】
問題なしの場合は、イベント設定処理部１０は、イベント多重限度チェック手段１１５を起動して、追加入力されたイベントにより特典重み合計が予め設定された限度値以下であることを確認する（ステップＳ２１２）。限度値を超えている場合は、処理をステップＳ１０９から繰り返す。問題なしの場合は、ステップＳ１１３へと進み、その後は第１の実施の形態で説明した動作と同じとなる。
【００８１】
イベント多重限度チェック手段１１５が特典重み合計のチェックを行う動作をより具体的に説明する。
【００８２】
イベント多重限度チェック手段１１５は、イベント発生規則格納部アクセス手段１１６を起動して図５に示すイベント発生規則格納部１２のイベント発生規則テーブル１２０に設定済みのイベントの期間と特典内容とを参照する。また、イベント多重限度チェック手段１１５は、イベント要素格納部アクセス手段１１８を起動して図９に示すイベント要素格納部１４の特典内容テーブル２４１から特典内容に対応する特典重みを参照する。例えば、ひまわり飲料がイベントを設定しようとしている２００６年２月１５日から２００６年２月２４日の期間においては、図５に示すイベント発生規則テーブル１２０を参照すると、香加王製菓が設定したイベントＩＤが『チョコ』のイベントが登録されており、その特典内容は『二段階成長する』であり、また、同期間には、コンビニ三田店が設定したイベントＩＤが『パン』のイベントも登録されており、その特典内容は『友達が一匹増える』である。また、図９に示す特典内容テーブル２４１を参照すると、特典『二段階成長する』の特典重みは『２』であり、特典『友達が一匹増える』の特典重みは『１』であるので、それらを合計すると、２００６年２月１５日から２００６年２月２２日の期間にすでに設定済みのイベントの特典重みの合計は『３』になる。
【００８３】
一方、イベント多重限度チェック手段１１５は、イベント要素格納部アクセス手段１１８を起動して図９に示すイベント要素格納部１４の特典内容テーブル２４１からひまわり飲料が設定しようとしているイベントの特典内容に対応する特典重みを参照する。ひまわり飲料が設定しようとしているイベントの特典内容は『三段階成長する』なので、図９に示す特典内容テーブル２４１を参照すると対応する特典重みは『３』であるので、イベント多重限度チェック手段１１５は、すでに設定済みのイベントの特典重みの合計『３』とひまわり飲料が設定しようとしているイベントの特典重み『３』を合計して『６』を得る。そして、イベント多重限度チェック手段１１５は、イベント発生規則格納部アクセス手段１１６を起動して図１０に示すイベント発生規則格納部１２の特典重み合計限度値テーブル２２１を参照する。特典重み合計限度値テーブル２２１に設定されている特典重み合計限度値は『５』であるので、イベント多重限度チェック手段１１５は、２００６年２月１５日から２００６年２月２２日の期間においてひまわり飲料がイベントを設定すると当該特典重み合計限度値を超えてしまうことを検出し、不正である旨を実行手段１１２に通知する。
【００８４】
以上により、新たにイベントを追加する場合の実施例が終了する。この実施例においては、第１の実施の形態における新たにイベントを追加する場合の実施例に比べて、イベント設定処理部１０がイベント多重限度チェック手段１１５を起動して、新たにイベントを追加する場合にすべてのイベントの特典重みの合計値があらかじめ設定した限度値以下となるか否かをチェックし、限度値以下の場合にのみイベントの追加を許可するようにしたことにより、過剰に特典を提供することになるイベントの追加を防ぐことができるという効果を有している。
【００８５】
図１９は、イベント設定の処理において、クリックされたアクションボタンが変更であった場合を示すフローチャートである。ここでも第１の実施の形態の説明の場合と同じく、香加王製菓が自社のチョコレート製品について設定済みのイベントのイベント期間である２００６年２月１５日から２００６年２月２２日までを２００６年２月１５日から２００６年２月２８日までに変更する場合の実施例を示す。
【００８６】
ステップＳ１１５からステップＳ１１８までは、第１の実施の形態で説明した動作と同じとなり、不正な場合は処理をステップＳ１１５から繰り返す動作も同じである。
【００８７】
問題なしの場合は、イベント設定処理部１０は、イベント多重限度チェック手段１１５を起動して、変更入力されたイベントにより特典重み合計が予め設定された限度値以下であることを確認する（ステップＳ２１８）。限度値を超えている場合は、処理をステップＳ１１５から繰り返す。問題なしの場合は、ステップＳ１１９へと進み、その後は第１の実施の形態で説明した動作と同じとなる。
【００８８】
イベント多重限度チェック手段１１５が特典重み合計のチェックを行う動作をより具体的に説明する。
【００８９】
イベント多重限度チェック手段１１５は、イベント発生規則格納部アクセス手段１１６を起動して図５の状態のイベント発生規則格納部１２のイベント発生規則テーブル１２０においてイベント期間を変更しようとしているイベント以外の設定済みのイベントのイベント期間と特典内容とを参照する。また、イベント多重限度チェック手段１１５は、イベント要素格納部アクセス手段１１８を起動して図９に示すイベント要素格納部１４の特典内容テーブル２４１から特典内容に対応する特典重みを参照する。例えば、図５に示すイベント発生規則テーブル１２０を参照すると、香加王製菓がイベント期間を変更しようとしているイベント（イベントＩＤ『チョコ』）以外にはコンビニ三田店が設定したイベントＩＤが『パン』のイベントが登録されており、そのイベント期間は２００６年２月１日から２００６年２月２５日までであり、特典内容は『友達が一匹増える』である。また、図９に示す特典内容テーブル２４１を参照すると、特典『友達が一匹増える』の特典重みは『１』である。したがって、２００６年２月２３日から２００６年２月２８日の期間の特典重み合計は『１』である。
【００９０】
一方、イベント多重限度チェック手段１１５は、イベント要素格納部アクセス手段１１８を起動してイベント要素格納部１４の特典内容テーブル２４１から香加王製菓が設定済みのイベントの特典内容に対応する特典重みを参照する。香加王製菓が設定済みのイベントの特典内容は『二段階成長する』なので、図９に示す特典内容テーブル２４１を参照すると対応する特典重みは『２』であるので、イベント多重限度チェック手段１１５は、イベント期間を変更しようとしているイベントの特典重み『２』と当該イベント以外の設定済みのイベントの特典重み『１』とから特典重みの合計『３』を得る。そして、イベント多重限度チェック手段１１５は、イベント発生規則格納部アクセス手段１１６を起動して図１０に示すイベント発生規則格納部１２の特典重み合計限度値テーブル２２１を参照すると、特典重み合計限度値は『５』で有る。こうして、イベント多重限度チェック手段１１５、は入力されたイベントを追加しても限度値を超える期間は存在しないことを検出し、問題なしである旨を実行手段１１２に通知する。
【００９１】
以上により、登録済みのイベントを変更する場合の実施例が終了する。この実施例においては、第１の実施の形態における登録済みのイベントを変更する場合の実施例に比べて、イベント設定処理部１０がイベント多重限度チェック手段１１５を起動して、イベントを変更した場合にすべてのイベントの特典重みの合計値があらかじめ設定した限度値以下となるか否かをチェックし、限度値以下の場合にのみイベントの変更を許可するようにしたことにより、過剰に特典を提供することを防ぐことができるという効果を有している。
【００９２】
以上により、本発明の第２の実施の形態の動作が完了する。本発明の第２の実施の形態によれば、第１の実施の形態で得られる効果に加えて、イベント多重限度チェック手段１１５を備えたことにより、イベントを追加・変更した場合にすべてのイベントの特典重みの合計値があらかじめ設定した限度値以下となるか否かをチェックし、限度値以下の場合にのみイベントの追加・変更を許可するようにしたことにより、過剰に特典を提供することになるイベントの変更を防ぐことができるという効果を有している。
【００９３】
なお、本発明の第１の実施の形態および第２の実施の形態のネットワークは有線または無線のネットワークである。本ネットワークには、インターネットなどの公的なネットワーク回線や専用回線ＣＡＴＶ回線など、提供するサービスや運用形態に基づいて任意のものを用いることができる。
【００９４】
また、本発明の第１の実施の形態および第２の実施の形態の各端末、サーバおよびネットワークにはしかるべきセキュリティ手段が施される。これについては本発明の直接的な適用部分では無いので省略する。
【００９５】
また、このようなシステムにおいては、各イベント設定者間の予約競争が発生することが課題となる可能性が有る。これに対しては、イベント設定権を一種の商品として定義することにより、従来技術のオンライン販売を組み合わせることにより容易に解決可能となる。
【００９６】
また、本発明の第１の実施の形態および第２の実施の形態の特典内容については、従来技術であるポイント制などの実世界の特典を組み合わせても良い。また、ゲームへの参加を促進するためにゲームの状態や進度によって実世界におけるクーポンを発行するなどの方法を組み合わせても良い。
【００９７】
さらには、商品の購入に加えてゲーム内で特定の操作を実施することにより特典が実施される方式をとっても良い。
【産業上の利用可能性】
【００９８】
以上のように実現することで本発明は、小売業の販売促進分野に利用でき、特に小売り店舗と製品メーカが協賛しての商品プロモーションや、集合型店舗の共同イベント、あるいは逆に地理的に分散した店舗の共通イベントなど、従来のポイント制や固定化されたイベント内容での販売促進活動が難しい形態の小売業における販売促進分野に利用できる。
【図面の簡単な説明】
【００９９】
【図１】本発明の第１および第２の実施の形態の構成を示すブロック図である。
【図２】本発明の第１の実施の形態におけるイベント設定処理部１０の機能ブロック図である。
【図３】本発明の第２の実施の形態におけるイベント設定処理部１０の機能ブロック図である。
【図４】本発明の第１および第２の実施の形態におけるイベント設定者テーブル１５０の構造を示す図である。
【図５】本発明の第１および第２の実施の形態におけるイベント発生規則テーブル１２０の構造を示す図である。
【図６】本発明の第１および第２の実施の形態におけるイベント発生規則サンプルテーブル１３０の構造を示す図である。
【図７】本発明の第１および第２の実施の形態における商品テーブル１４０の構造を示す図である。
【図８】本発明の第１の実施の形態における特典内容テーブル１４１の構造を示す図である。
【図９】本発明の第２の実施の形態における特典内容テーブル２４１の構造を示す図である。
【図１０】本発明の第２の実施の形態における特典重み合計限度値テーブル２２１の構造を示す図である。
【図１１】本発明の第１の実施の形態におけるイベント追加後のイベント発生規則テーブルの構造を示す図である。
【図１２】本発明の第１の実施の形態におけるイベント変更後のイベント発生規則テーブルの構造を示す図である。
【図１３】本発明の第１の実施の形態におけるイベント削除後のイベント発生規則テーブルの構造を示す図である。
【図１４】本発明の第１および第２の実施の形態におけるイベント設定の処理の内のアクション選択までを示すフローチャートである。
【図１５】本発明の第１の実施の形態におけるイベント設定の処理においてクリックされたアクションボタンが追加であった場合を示すフローチャートである。
【図１６】本発明の第１の実施の形態におけるイベント設定の処理においてクリックされたアクションボタンが変更であった場合を示すフローチャートである。
【図１７】本発明の第１の実施の形態におけるイベント設定の処理においてクリックされたアクションボタンが削除であった場合を示すフローチャートである。
【図１８】本発明の第２の実施の形態におけるイベント設定の処理においてクリックされたアクションボタンが追加であった場合を示すフローチャートである。
【図１９】本発明の第２の実施の形態におけるイベント設定の処理においてクリックされたアクションボタンが変更であった場合を示すフローチャートである。
【図２０】本発明の第１および第２の実施の形態におけるイベント設定端末に表示されるイベント一覧要求画面の例を示す図である。
【図２１】本発明の第１および第２の実施の形態におけるイベント設定端末に表示されるイベント一覧画面の例を示す図である。
【図２２】本発明の第１および第２の実施の形態におけるイベント設定端末に表示されるイベント一覧画面で対象イベントを選択した状態の例を示す図である。
【図２３】本発明の第１および第２の実施の形態におけるイベント設定端末に表示される追加入力画面の例を示す図である。
【図２４】本発明の第１および第２の実施の形態におけるイベント設定端末に表示された追加入力画面に追加イベントを入力した例を示す図である。
【図２５】本発明の第１および第２の実施の形態におけるイベント設定端末に表示される変更入力画面に変更イベントを入力した例を示す図である。
【図２６】本発明の第１および第２の実施の形態におけるイベント設定端末に表示される削除確認画面の例である。
【符号の説明】
【０１００】
１    コンテンツサーバ
２    イベント設定端末
３    ネットワーク
１０    イベント設定処理部
１１    通信処理部
１２    イベント発生規則格納部
１３    イベント発生規則サンプル格納部
１４    イベント要素格納部
１５    イベント設定者情報格納部
２１    通信処理部
２２    イベント一覧表示手段
２３    イベント一覧要求手段
２４    イベントアクション指示手段
２５    イベント追加要求手段
２６    イベント変更要求手段
２７    イベント削除要求手段
１１１    入力情報受付手段
１１２    実行手段
１１３    出力画面生成出力手段
１１４    イベントだぶりチェック手段
１１５    イベント多重限度チェック手段
１１６    イベント発生規則格納部アクセス手段
１１７    イベント発生規則サンプル格納部アクセス手段
１１８    イベント要素格納部アクセス手段
１２０    イベント発生規則テーブル
１３０    イベント発生規則サンプルテーブル
１４０    商品テーブル
１４１    特典内容テーブル
１５０    イベント設定者テーブル
２２１    特典重み合計限度値テーブル
２４１    特典内容テーブル
【図１】
2008003837.tif 000003
【図２】
2008003837.tif 000004
【図３】
2008003837.tif 000005
【図４】
2008003837.tif 000006
【図５】
2008003837.tif 000007
【図６】
2008003837.tif 000008
【図７】
2008003837.tif 000009
【図８】
2008003837.tif 000010
【図９】
2008003837.tif 000011
【図１０】
2008003837.tif 000012
【図１１】
2008003837.tif 000013
【図１２】
2008003837.tif 000014
【図１３】
2008003837.tif 000015
【図１４】
2008003837.tif 000016
【図１５】
2008003837.tif 000017
【図１６】
2008003837.tif 000018
【図１７】
2008003837.tif 000019
【図１８】
2008003837.tif 000020
【図１９】
2008003837.tif 000021
【図２０】
2008003837.tif 000022
【図２１】
2008003837.tif 000023
【図２２】
2008003837.tif 000024
【図２３】
2008003837.tif 000025
【図２４】
2008003837.tif 000026
【図２５】
2008003837.tif 000027
【図２６】
2008003837.tif 000028